(57)【要約】【課題】所定の被投光場所だけを照らすことができ、しかも、光量を減少させ得るＬＥＤ照明器具を提供すること。【解決手段】ＬＥＤ照明器具１は、複数の発光ダイオード２が配列された光源プレート４と、光源プレート４の発光側の矩形状面３を覆うブラインドマスク６とを具備しており、ブラインドマスク６は、枠体１５と、枠体１５に装着されている複数の遮光板１６と、複数の遮光板１６間に形成された投光隙間１７とを具備している。【選択図】図１
2013109967.tif 000002
【特許請求の範囲】
【請求項１】
複数の発光ダイオードが配列された光源プレートと、この光源プレートの発光側の面を覆うブラインドマスクとを具備しており、ブラインドマスクは、枠体と、この枠体に装着されている複数の遮光板と、複数の遮光板間に形成された投光隙間とを具備しているＬＥＤ照明器具。
【請求項２】
複数の遮光板は、投光隙間をもって互いに並んで枠体に回転自在に取り付けられている請求項１に記載のＬＥＤ照明器具。
【請求項３】
光源プレートに取り付けられた挟持体又は磁石を具備している請求項１又は２に記載のＬＥＤ照明器具。
【請求項４】
複数の発光ダイオードは、平面状の発光面を夫々有している請求項１から３のいずれか一項に記載のＬＥＤ照明器具。
【請求項５】
複数の発光ダイオードの発光面の夫々は互いに面一である請求項４に記載のＬＥＤ照明器具。
【発明の詳細な説明】
【技術分野】
【０００１】
本発明は、テレビスタジオ、写真スタジオ、舞台等で用いられるＬＥＤ照明器具に関する。
【背景技術】
【０００２】
例えば、特許文献１においては、光源が発光ダイオード（ＬＥＤ（Ｌｉｇｈｔ  ｅｍｉｔｔｉｎｇ  ｄｉｏｄｅ）からなる照明器具が提案されている。
【先行技術文献】
【特許文献】
【０００３】
【特許文献１】特開２０１０−９８４８号公報
【発明の概要】
【発明が解決しようとする課題】
【０００４】
ところで、斯かる照明器具では、光が拡散して被投光場所以外の場所をも照らしてしまう虞があり、また、被投光場所を照らす光量が多くなってしまう場合も生じ得る。
【０００５】
本発明は、前記諸点に鑑みてなされたものであり、その目的とするところは、所定の被投光場所だけを照らすことができ、しかも、光量を減少させ得るＬＥＤ照明器具を提供することにある。
【課題を解決するための手段】
【０００６】
本発明のＬＥＤ照明器具は、複数の発光ダイオードが配列された光源プレートと、この光源プレートの発光側の面を覆うブラインドマスクとを具備しており、ブラインドマスクは、枠体と、この枠体に装着されている複数の遮光板と、複数の遮光板間に形成された投光隙間とを具備している。
【０００７】
本発明のＬＥＤ照明器具によれば、特に、ブラインドマスクは、枠体と、この枠体に装着されている複数の遮光板と、複数の遮光板間に形成された投光隙間とを具備しているブラインドマスクを具備しているために、枠体によって光の拡散をなくし得て所定の被投光場所だけを照らすことができ、しかも、遮光板によって光量を減少させ得る。
【０００８】
本発明のＬＥＤ照明器具では、複数の遮光板は、投光隙間をもって互いに並んで枠体に回転自在に取り付けられていてもよい。このようなＬＥＤ照明器具によれば、複数の遮光板を回転させることによって投光隙間の隙間幅を調整することができ、而して、光源プレートから被投光物に投光される光の光量を調整し得る。
【０００９】
本発明のＬＥＤ照明器具では、光源プレートに取り付けられた挟持体又は磁石を具備していてもよい。このようなＬＥＤ照明器具によれば、照明器具を立たせるための設置台等の準備をする必要をなくし得て、設置の手間を軽減し得る。
【００１０】
本発明のＬＥＤ照明器具では、複数の発光ダイオードは、平面状の発光面を夫々有していてもよく、斯かる場合には、これら発光面の夫々は互いに面一であってもよい。
【発明の効果】
【００１１】
本発明によれば、所定の被投光場所だけを照らすことができ、しかも、光量を減少させ得るＬＥＤ照明器具を提供し得る。
【図面の簡単な説明】
【００１２】
【図１】図１は、本発明の実施の形態の例の斜視説明図である。
【図２】図２は、図１に示す例の展開斜視説明図である。
【図３】図３は、図１に示す例の背面側の斜視説明図である。
【図４】図４は、図１に示す例と接続される電源装置に関する説明図である。
【発明を実施するための形態】
【００１３】
次に本発明を、図に示す好ましい実施の形態の例に基づいて更に詳細に説明する。なお、本発明はこれら例に何等限定されないのである。
【実施例】
【００１４】
図１から図３において、本例のＬＥＤ照明器具１は、複数の発光ダイオード２が配列された光源プレート４と、光源プレート４の発光側の矩形状面３を覆うブラインドマスク６と、光源プレート４に着脱自在に取り付けられた挟持体８及び磁石９とを具備している。
【００１５】
光源プレート４は、本例では矩形板状であり、複数の発光ダイオード２は、光源プレート４の一方の矩形状面３に縦横に等間隔をもって並んで配されている。複数の発光ダイオード２は、夫々互いに電気的に接続されている。複数の発光ダイオード２は、正面において露出した平面状の発光面を夫々有しており、これら発光面の夫々は互いに面一である。複数の発光ダイオード２の発光色は、白色、赤色、緑色、青色等であってもよい。複数の発光ダイオード２の夫々は、互いに白色等の同一色を発光するようになっていても、互いに異なる色を発光するようになっていてもよい。
【００１６】
光源プレート４には、図４に示す電源装置３１、３２又は３３に電気的に接続される丸型ケーブル１３が取り付けられている。ケーブル１３には防水処理加工が施されている。
【００１７】
ブラインドマスク６は、矩形状の枠体１５と、枠体１５に装着されている複数の遮光板１６と、複数の遮光板１６間に形成された投光隙間１７とを具備している。
【００１８】
枠体１５は、縦方向に伸びた一対の縦枠３５及び３６と、縦枠３５及び３６の両端を夫々橋絡している横方向に伸びた上枠３７及び下枠３８とを具備している。縦枠３５及び３６並びに上枠３７及び下枠３８は、光源プレート４の周面に当接する。枠体１５には光源プレート４が嵌め込まれるようになっている。縦枠３５には複数の遮光板１６の夫々の一端４１が、縦枠３６には複数の遮光板１６の夫々の他端４２が回転自在に装着されている。
【００１９】
複数の遮光板１６は、投光隙間１７をもって互いに平行に並んで縦枠３５及び３６に回転自在に取り付けられており、これにより、複数の遮光板１６は投光隙間１７の隙間幅を増減させ得るように傾動自在となる。
【００２０】
挟持体８は、クリップ状であり、本例では、軸を介して互いに回動自在に連結されていると共に夫々の先端２１及び２２で互いに当接する一対の挟持部材２３及び２４と、挟持部材２３及び２４の先端２１及び２２を互いに当接させる方向に弾性的に付勢するバネ（図示せず）とを具備しており、先端２１及び２２間において被挟持物を挟むようになっている。挟持部材２３は、面ファスナー２０を介して光源プレート４の他方の矩形状面５に着脱自在に取り付けられている。
【００２１】
磁石９は、挟持体８の挟持部材２４に接着等により取り付けられている。磁石９は、その磁気力によって各種の磁性体（図示せず）に着脱自在に装着される。
【００２２】
ケーブル１３は、例えば図４に示す電源装置３１、３２及び３３のうちの少なくともいずれか一つに接続可能となっている。尚、電源装置３１はコンセントに差し込まれる形式のものであり、電源装置３２は電源装置３１の装備に加えて、いわゆるＤＭＸ（Ｄｉｇｉｔａｌ Ｍｕｌｔｉｐｌｅｘ）信号を用いて光源プレート４の発光ダイオード２の発光を制御する制御装置を具備したものであり、また、電源装置３３は、ベルト３４等に装着されて携帯されるバッテリー装置３０を具備したものである。
【００２３】
斯かるＬＥＤ照明器具１を用いる場合には、まず、挟持体８を例えば板状物や突起物等に装着するか又は磁石９をその磁気力によって鉄板等の各種の磁性体（図示せず）に装着することによってＬＥＤ照明器具１を所望の場所に設置し、次に、ケーブル１３を電源装置３１、３２又は３３に接続して複数の発光ダイオード２による発光を開始する。光源プレート４から被投光物への投光はブラインドマスク６を介して行われる。ブラインドマスク６は、主にその枠体１５において光源プレート４からの投光の所定以上の拡散を阻止しており、その複数の遮光板１６において光源プレート４からの投光の光量を所定量に減らしている。尚、光源プレート４からの光量は遮光板１６の回転による投光隙間１７の隙間幅を増減することで調整し得る。
【００２４】
本例のＬＥＤ照明器具１によれば、複数の発光ダイオード２が配列された光源プレート４と、光源プレート４の発光側の矩形状面３を覆うブラインドマスク６とを具備しており、ブラインドマスク６は、枠体１５と、枠体１５に装着されている複数の遮光板１６と、複数の遮光板１６間に形成された投光隙間１７とを具備しているために、枠体１５によって光の拡散をなくし得て所定の被投光場所だけを照らすことができ、しかも、遮光板１６によって光量を減少させ得る。
【００２５】
ＬＥＤ照明器具１によれば、複数の遮光板１６は、投光隙間１７をもって互いに並んで枠体１５に回転自在に取り付けられているために、複数の遮光板１６を回転させることによって投光隙間１７の隙間幅を調整することができ、而して、光源プレート４から被投光物に投光される光の光量を調整し得る。
【００２６】
ＬＥＤ照明器具１によれば、光源プレート４に取り付けられた挟持体８又は磁石９を具備しているために、照明器具を立たせるための設置台等の準備をする必要をなくし得て、設置の手間を軽減し得る。
【符号の説明】
【００２７】
１  ＬＥＤ照明器具
２  発光ダイオード
４  光源プレート
６  ブラインドマスク
８  挟持体
９  磁石
１５  枠体
１６  遮光板
１７  投光隙間
【図１】
2013109967.tif 000003
【図２】
2013109967.tif 000004
【図３】
2013109967.tif 000005
【図４】
2013109967.tif 000006